(57)【要約】【課題】光ファイバを目立たなくすることと、光ファイバの断線を防止することとを、同時に、満たす信号伝送機構を提供する。【解決手段】画像表示装置１に画像表示側光ファイバ３が接続され、映像送受信装置２に映像送受信側光ファイバ４が接続される。画像表示側光ファイバ３と映像送受信側光ファイバ４とは、中継コネクタ１１を介して、光学的に接続されて、信号を伝送する。映像送受信側光ファイバ４の機械的強度は、画像表示側光ファイバ３の機械的強度よりも、強い。【選択図】図１
2010072163.tif 000002
【特許請求の範囲】
【請求項１】
画像表示装置に接続された画像表示側光ファイバと、
映像送受信装置に接続された映像送受信側光ファイバと
を備え、
上記画像表示側光ファイバと上記映像送受信側光ファイバとは、接続されて、信号を伝送し、
上記映像送受信側光ファイバの機械的強度は、上記画像表示側光ファイバの機械的強度よりも、強いことを特徴とする信号伝送機構。
【請求項２】
請求項１に記載の信号伝送機構において、
上記画像表示側光ファイバと上記映像送受信側光ファイバとは、中継コネクタを介して接続され、
この中継コネクタは、一定の位置に固定されていることを特徴とする信号伝送機構。
【請求項３】
請求項１に記載の信号伝送機構において、
上記画像表示側光ファイバの先端は、雄型コネクタを有し、
上記映像送受信側光ファイバの先端は、雌型コネクタを有し、
上記画像表示側光ファイバの上記雄型コネクタと上記映像送受信側光ファイバの上記雌型コネクタとは、接続され、
上記映像送受信側光ファイバの上記雌型コネクタは、一定の位置に固定されていることを特徴とする信号伝送機構。
【請求項４】
請求項１に記載の信号伝送機構において、
上記画像表示側光ファイバの先端は、雄型コネクタを有し、
上記映像送受信側光ファイバの先端は、雌型コネクタを有し、
上記画像表示側光ファイバの上記雄型コネクタと上記映像送受信側光ファイバの上記雌型コネクタとは、接続され、
上記画像表示側光ファイバの上記雄型コネクタは、一定の位置に固定されていることを特徴とする信号伝送機構。
【請求項５】
請求項１に記載の信号伝送機構において、
上記画像表示側光ファイバの先端は、雌型コネクタを有し、
上記映像送受信側光ファイバの先端は、雄型コネクタを有し、
上記画像表示側光ファイバの上記雌型コネクタと上記映像送受信側光ファイバの上記雄型コネクタとは、接続され、
上記映像送受信側光ファイバの上記雄型コネクタは、一定の位置に固定されていることを特徴とする信号伝送機構。
【請求項６】
請求項１に記載の信号伝送機構において、
上記画像表示側光ファイバの先端は、雌型コネクタを有し、
上記映像送受信側光ファイバの先端は、雄型コネクタを有し、
上記画像表示側光ファイバの上記雌型コネクタと上記映像送受信側光ファイバの上記雄型コネクタとは、接続され、
上記画像表示側光ファイバの上記雌型コネクタは、一定の位置に固定されていることを特徴とする信号伝送機構。
【請求項７】
請求項１に記載の信号伝送機構において、
上記画像表示側光ファイバは、内側から順に、コア層、クラッド層および樹脂層を有し、
上記映像送受信側光ファイバは、内側から順に、コア層、クラッド層、樹脂層、抗張力繊維層およびシース層を有することを特徴とする信号伝送機構。
【請求項８】
請求項７に記載の信号伝送機構において、
上記画像表示側光ファイバと上記映像送受信側光ファイバとは、中継ホルダを介して、接続され、
この中継ホルダは、一定の位置に固定され、
この中継ホルダは、一方側から上記画像表示側光ファイバが挿入されると共に他方側から上記映像送受信側光ファイバが挿入される貫通孔を有し、
この貫通孔には、上記画像表示側光ファイバにおける上記全ての層が挿入される一方、上記映像送受信側光ファイバにおけるコア層、クラッド層および樹脂層が挿入され、上記映像送受信側光ファイバにおける抗張力繊維層およびシース層は、上記中継ホルダの外側を覆うように配置され、
上記映像送受信側光ファイバの上記シース層の外側に締め付けリングが配置され、この締め付けリングは、内側から順に、上記画像表示側光ファイバ、上記中継ホルダ、上記映像送受信側光ファイバの上記抗張力繊維層および上記映像送受信側光ファイバの上記シース層を、一体に締め付けることを特徴とする信号伝送機構。
【請求項９】
画像表示装置に設けられた画像表示側受発光部と、
映像送受信装置に接続された光ファイバと、
この光ファイバに接続された中継装置と
を備え、
この中継装置は、中継側受発光部を有し、
上記画像表示側受発光部と上記中継側受発光部とは、光空間伝送により、信号を伝送することを特徴とする信号伝送機構。
【請求項１０】
請求項１から９の何れか一つに記載の信号伝送機構を備えることを特徴とする電子機器。
【発明の詳細な説明】
【技術分野】
【０００１】
この発明は、信号伝送機構および電子機器に関する。
【背景技術】
【０００２】
現在、壁掛けテレビのように、テレビのモニター部分である画像表示装置を、単独で設置する使い方を想定して開発が進められている。
【０００３】
従来、画像表示装置と、テレビのチューナー部分である映像送受信装置との間に、信号を伝送する信号伝送機構としては、同軸ケーブルや電源コードによる複数のコード配線を必要としていた。
【０００４】
また、特開平９−９１５５号公報（特許文献１）に示されるように、光電複合ケーブルによる信号伝送も見受けられるが、画像表示装置を単独で設置する使い方を想定した場合、光電複合ケーブルは、目立ちすぎるという難点がある。また、信号帯域が高周波域であることから、電気ケ−ブルによる伝送距離には限界がある。そこで、光ファイバによる信号伝送の検討が進んでいる。
【特許文献１】特開平９−９１５５号公報
【発明の開示】
【発明が解決しようとする課題】
【０００５】
しかしながら、光ファイバを目立たなくするためには、光ファイバをより細く無色透明にする必要があった。そのために、光ファイバの樹脂被覆膜を透明な膜にし、また、光ファイバを抗張力繊維やシ−スで被うことができず、光ファイバの機械的強度が弱くなって、断線による通信不具合が心配される問題があった。
【０００６】
このように、光ファイバを目立たなくして外観を損なわないことと、光ファイバの断線を防止して伝送不具合を発生させないこととを、同時に、満たすことはできなかった。そして、この課題は、分離した画像表示装置と映像送受信装置との間の信号伝送機構において、新たな課題である。
【０００７】
そこで、この発明の課題は、光ファイバを目立たなくすることと、光ファイバの断線を防止することとを、同時に、満たす信号伝送機構および電子機器を提供することにある。
【課題を解決するための手段】
【０００８】
上記課題を解決するため、この発明の信号伝送機構は、
画像表示装置に接続された画像表示側光ファイバと、
映像送受信装置に接続された映像送受信側光ファイバと
を備え、
上記画像表示側光ファイバと上記映像送受信側光ファイバとは、接続されて、信号を伝送し、
上記映像送受信側光ファイバの機械的強度は、上記画像表示側光ファイバの機械的強度よりも、強いことを特徴としている。
【０００９】
ここで、この明細書では、「画像表示装置」とは、例えば、液晶テレビやプラズマテレビ等の薄型テレビのモニター部分をいう。「映像送受信装置」とは、例えば、セットトップボックス（ＳＴＢ）、チューナーまたはブルーレイレコーダーをいう。
【００１０】
この発明の信号伝送機構によれば、上記映像送受信側光ファイバの機械的強度は、上記画像表示側光ファイバの機械的強度よりも、強いので、画像表示側光ファイバを、機械的強度を犠牲にし、細くかつ無色透明にして、目立たないように形成できる一方、映像送受信側光ファイバを、外観よりも機械的強度を考慮して、機械的衝撃に強いものとできる。
【００１１】
したがって、画像表示装置と映像送受信装置とを接続する光ファイバにおいて、光ファイバを目立たなくして外観を損なわないことと、光ファイバの断線を防止して伝送不具合を発生させないこととを、同時に、満たすことができる。
【００１２】
また、一実施形態の信号伝送機構では、
上記画像表示側光ファイバと上記映像送受信側光ファイバとは、中継コネクタを介して接続され、
この中継コネクタは、一定の位置に固定されている。
【００１３】
この実施形態の信号伝送機構によれば、上記画像表示側光ファイバと上記映像送受信側光ファイバとは、中継コネクタを介して接続されているので、画像表示側光ファイバおよび映像送受信側光ファイバを、中継コネクタから取り外しが可能となり、画像表示側光ファイバおよび映像送受信側光ファイバの交換が容易となる。
【００１４】
また、上記中継コネクタは、一定の位置に固定されているので、映像送受信側光ファイバに与えられた機械的衝撃は、画像表示側光ファイバに伝わることがなくて、画像表示側光ファイバの損傷を一層確実に防止できる。
【００１５】
また、一実施形態の信号伝送機構では、
上記画像表示側光ファイバの先端は、雄型コネクタを有し、
上記映像送受信側光ファイバの先端は、雌型コネクタを有し、
上記画像表示側光ファイバの上記雄型コネクタと上記映像送受信側光ファイバの上記雌型コネクタとは、接続され、
上記映像送受信側光ファイバの上記雌型コネクタは、一定の位置に固定されている。
【００１６】
この実施形態の信号伝送機構によれば、上記画像表示側光ファイバの上記雄型コネクタと上記映像送受信側光ファイバの上記雌型コネクタとは、接続されているので、中継コネクタを必要としない。
【００１７】
また、上記映像送受信側光ファイバの上記雌型コネクタは、一定の位置に固定されているので、映像送受信側光ファイバに与えられた機械的衝撃は、画像表示側光ファイバに伝わることがなくて、画像表示側光ファイバの損傷を一層確実に防止できる。また、画像表示側光ファイバの雄型コネクタを、映像送受信側光ファイバの雌型コネクタから取り外すことが可能となり、画像表示側光ファイバの交換が容易となる。
【００１８】
また、一実施形態の信号伝送機構では、
上記画像表示側光ファイバの先端は、雄型コネクタを有し、
上記映像送受信側光ファイバの先端は、雌型コネクタを有し、
上記画像表示側光ファイバの上記雄型コネクタと上記映像送受信側光ファイバの上記雌型コネクタとは、接続され、
上記画像表示側光ファイバの上記雄型コネクタは、一定の位置に固定されている。
【００１９】
この実施形態の信号伝送機構によれば、上記画像表示側光ファイバの上記雄型コネクタと上記映像送受信側光ファイバの上記雌型コネクタとは、接続されているので、中継コネクタを必要としない。
【００２０】
また、上記画像表示側光ファイバの上記雄型コネクタは、一定の位置に固定されているので、映像送受信側光ファイバに与えられた機械的衝撃は、画像表示側光ファイバのコネクタを除いた本体部に伝わることがなくて、画像表示側光ファイバの損傷を一層確実に防止できる。また、映像送受信側光ファイバの雌型コネクタを、画像表示側光ファイバの雄型コネクタから取り外すことが可能となり、映像送受信側光ファイバの交換が容易となる。
【００２１】
また、一実施形態の信号伝送機構では、
上記画像表示側光ファイバの先端は、雌型コネクタを有し、
上記映像送受信側光ファイバの先端は、雄型コネクタを有し、
上記画像表示側光ファイバの上記雌型コネクタと上記映像送受信側光ファイバの上記雄型コネクタとは、接続され、
上記映像送受信側光ファイバの上記雄型コネクタは、一定の位置に固定されている。
【００２２】
この実施形態の信号伝送機構によれば、上記画像表示側光ファイバの上記雌型コネクタと上記映像送受信側光ファイバの上記雄型コネクタとは、接続されているので、中継コネクタを必要としない。
【００２３】
また、上記映像送受信側光ファイバの上記雄型コネクタは、一定の位置に固定されているので、映像送受信側光ファイバに与えられた機械的衝撃は、画像表示側光ファイバに伝わることがなくて、画像表示側光ファイバの損傷を一層確実に防止できる。また、画像表示側光ファイバの雌型コネクタを、映像送受信側光ファイバの雄型コネクタから取り外すことが可能となり、画像表示側光ファイバの交換が容易となる。
【００２４】
また、一実施形態の信号伝送機構では、
上記画像表示側光ファイバの先端は、雌型コネクタを有し、
上記映像送受信側光ファイバの先端は、雄型コネクタを有し、
上記画像表示側光ファイバの上記雌型コネクタと上記映像送受信側光ファイバの上記雄型コネクタとは、接続され、
上記画像表示側光ファイバの上記雌型コネクタは、一定の位置に固定されている。
【００２５】
この実施形態の信号伝送機構によれば、上記画像表示側光ファイバの上記雌型コネクタと上記映像送受信側光ファイバの上記雄型コネクタとは、接続されているので、中継コネクタを必要としない。
【００２６】
また、上記画像表示側光ファイバの上記雌型コネクタは、一定の位置に固定されているので、映像送受信側光ファイバに与えられた機械的衝撃は、画像表示側光ファイバのコネクタを除いた本体部に伝わることがなくて、画像表示側光ファイバの損傷を一層確実に防止できる。また、映像送受信側光ファイバの雄型コネクタを、画像表示側光ファイバの雌型コネクタから取り外すことが可能となり、映像送受信側光ファイバの交換が容易となる。
【００２７】
また、一実施形態の信号伝送機構では、
上記画像表示側光ファイバは、内側から順に、コア層、クラッド層および樹脂層を有し、
上記映像送受信側光ファイバは、内側から順に、コア層、クラッド層、樹脂層、抗張力繊維層およびシース層を有する。
【００２８】
この実施形態の信号伝送機構によれば、上記画像表示側光ファイバは、内側から順に、コア層、クラッド層および樹脂層を有する一方、上記映像送受信側光ファイバは、内側から順に、コア層、クラッド層、樹脂層、抗張力繊維層およびシース層を有するので、簡単な構成で、上記映像送受信側光ファイバの機械的強度を、上記画像表示側光ファイバの機械的強度よりも、強くできる。
【００２９】
また、一実施形態の信号伝送機構では、
上記画像表示側光ファイバと上記映像送受信側光ファイバとは、中継ホルダを介して、接続され、
この中継ホルダは、一定の位置に固定され、
この中継ホルダは、一方側から上記画像表示側光ファイバが挿入されると共に他方側から上記映像送受信側光ファイバが挿入される貫通孔を有し、
この貫通孔には、上記画像表示側光ファイバにおける上記全ての層が挿入される一方、上記映像送受信側光ファイバにおけるコア層、クラッド層および樹脂層が挿入され、上記映像送受信側光ファイバにおける抗張力繊維層およびシース層は、上記中継ホルダの外側を覆うように配置され、
上記映像送受信側光ファイバの上記シース層の外側に締め付けリングが配置され、この締め付けリングは、内側から順に、上記画像表示側光ファイバ、上記中継ホルダ、上記映像送受信側光ファイバの上記抗張力繊維層および上記映像送受信側光ファイバの上記シース層を、一体に締め付ける。
【００３０】
この実施形態の信号伝送機構によれば、上記中継ホルダは、一定の位置に固定されているので、映像送受信側光ファイバに与えられた機械的衝撃は、画像表示側光ファイバに伝わることがなくて、画像表示側光ファイバの損傷を一層確実に防止できる。
【００３１】
また、上記締め付けリングは、内側から順に、上記画像表示側光ファイバ、上記中継ホルダ、上記映像送受信側光ファイバの上記抗張力繊維層および上記映像送受信側光ファイバの上記シース層を、一体に締め付けるので、上記画像表示側光ファイバと上記映像送受信側光ファイバとを簡単な構成で接続できる。
【００３２】
また、この発明の信号伝送機構は、
画像表示装置に設けられた画像表示側受発光部と、
映像送受信装置に接続された光ファイバと、
この光ファイバに接続された中継装置と
を備え、
この中継装置は、中継側受発光部を有し、
上記画像表示側受発光部と上記中継側受発光部とは、光空間伝送により、信号を伝送することを特徴としている。
【００３３】
この発明の信号伝送機構によれば、上記画像表示装置に上記画像表示側受発光部を設け、上記映像送受信装置に上記光ファイバを接続するので、画像表示装置側に光ファイバを設けないため画像表示装置側の外観を損なわないようにできる一方、映像送受信装置側の光ファイバを、外観よりも機械的強度を考慮して、機械的衝撃に強いものとできる。
【００３４】
したがって、画像表示装置側の外観を損なわないことと、光ファイバの断線を防止して伝送不具合を発生させないこととを、同時に、満たすことができる。
【００３５】
また、この発明の電子機器は、上記信号伝送機構を備えることを特徴としている。
【００３６】
この発明の電子機器によれば、上記信号伝送機構を備えるので、外観を損なわずに伝送不具合を防止した電子機器を実現できる。
【発明の効果】
【００３７】
この発明の信号伝送機構によれば、上記映像送受信側光ファイバの機械的強度は、上記画像表示側光ファイバの機械的強度よりも、強いので、光ファイバを目立たなくして外観を損なわないことと、光ファイバの断線を防止して伝送不具合を発生させないこととを、同時に、満たすことができる。
【００３８】
この発明の電子機器によれば、上記信号伝送機構を備えるので、外観を損なわずに伝送不具合を防止した電子機器を実現できる。
【発明を実施するための最良の形態】
【００３９】
以下、この発明を図示の実施の形態により詳細に説明する。
【００４０】
（第１の実施形態）
図１は、この発明の信号伝送機構および電子機器の一実施形態である簡略構成図を示している。この電子機器は、液晶テレビやプラズマテレビ等の薄型テレビである。この電子機器は、画像表示装置１と、映像送受信装置２と、画像表示装置１と映像送受信装置２とを接続する信号伝送機構とを有する。
【００４１】
画像表示装置１は、テレビのモニター部分である。映像送受信装置２は、例えば、セットトップボックス（ＳＴＢ）、チューナーまたはブルーレイレコーダーである。
【００４２】
上記信号伝送機構は、画像表示装置１に接続された画像表示側光ファイバ３と、映像送受信装置２に接続された映像送受信側光ファイバ４とを有する。
【００４３】
上記画像表示側光ファイバ３と上記映像送受信側光ファイバ４とは、中継コネクタ１１を介して、光学的に接続されて、信号を伝送する。この中継コネクタ１１は、一定の位置としての壁に固定されている。画像表示側光ファイバ３は、例えばＵバンドにて、壁に固定されている。
【００４４】
図２に示すように、上記画像表示側光ファイバ３は、内側から順に、コア層３１、クラッド層３２および樹脂層３３を有する。コア層３１およびクラッド層３２は、石英からなる。光は、コア層３１を通る。樹脂層３３は、無色透明に形成されている。
【００４５】
図３に示すように、上記映像送受信側光ファイバ４は、内側から順に、コア層４１、クラッド層４２、樹脂層４３、抗張力繊維層４４およびシース層４５を有する。このコア層４１、クラッド層４２および樹脂層４３は、画像表示側光ファイバ３のコア層３１、クラッド層３２および樹脂層３３と同じ構成である。抗張力繊維層４４およびシース層４５は、映像送受信側光ファイバ４の機械的強度を高める。
【００４６】
映像送受信側光ファイバ４の機械的強度は、画像表示側光ファイバ３の機械的強度よりも、強い。映像送受信側光ファイバ４の最大許容張力は、例えば、数十Ｎ以上であり、画像表示側光ファイバ３の最大許容張力は、例えば、数Ｎ以上である。
【００４７】
画像表示側光ファイバ３は、抗張力繊維層やシース層に覆われていないため、細くかつ無色透明にして、目立たないように形成できる。
【００４８】
このように、画像表示側光ファイバ３を、機械的強度を犠牲にし、細くかつ無色透明にして、目立たないように形成できる一方、映像送受信側光ファイバ４を、外観よりも機械的強度を考慮して、機械的衝撃に強いものとできる。
【００４９】
したがって、画像表示装置１と映像送受信装置２とを接続する光ファイバ３，４において、光ファイバ３を目立たなくして外観を損なわないことと、光ファイバ４の断線を防止して伝送不具合を発生させないこととを、同時に、満たすことができる。
【００５０】
要するに、画像表示装置１と映像送受信装置２を光ファイバで接続する場合、できるだけ目立たなくすべき箇所は、画像表示装置１付近である。また、この箇所は、画像表示装置１を設置する際、光ファイバ自体も、強い機械的衝撃が与えられないように設置することが可能である。
【００５１】
一方、映像送受信装置２付近の箇所は、映像送受信装置２の移動等を考慮すると、光ファイバを完全に固定して設置することが困難である。従って、光ファイバに対する機械的衝撃を考慮する必要があり、光ファイバの機械的強度が必要となる。
【００５２】
このように、画像表示装置１付近には目立たない光ファイバ３を接続し、映像送受信装置２付近には機械的強度の強い光ファイバ４を接続する。
【００５３】
また、この電子機器によれば、上記構成の信号伝送機構を備えるので、外観を損なわずに伝送不具合を防止した電子機器を実現できる。
【００５４】
図４に示すように、画像表示側光ファイバ３の先端は、雄型コネクタ３ａを有し、映像送受信側光ファイバ４の先端は、雄型コネクタ４ａを有する。両方の雄型コネクタ３ａ，４ａは、中継コネクタ１１を介して、光接続される。
【００５５】
したがって、画像表示側光ファイバ３および映像送受信側光ファイバ４を、中継コネクタ１１から取り外しが可能となり、画像表示側光ファイバ３および映像送受信側光ファイバ４の交換が容易となる。
【００５６】
また、中継コネクタ１１は、一定の位置に固定されているので、映像送受信側光ファイバ４に与えられた機械的衝撃は、画像表示側光ファイバ３に伝わることがなくて、画像表示側光ファイバ３の損傷を一層確実に防止できる。
【００５７】
なお、図示しないが、画像表示装置１および映像送受信装置２における光ファイバに接続するコネクタは、共に、雌型コネクタである。また、画像表示側光ファイバ３における画像表示装置１と接続する先端は、雄型コネクタを有し、映像送受信側光ファイバ４における映像送受信装置２と接続する先端は、雄型コネクタを有する。
【００５８】
次に、図５Ａ〜図５Ｄに、画像表示側光ファイバ３と映像送受信側光ファイバ４との他の接続方法を示す。
【００５９】
図５Ａに示すように、画像表示側光ファイバ３の先端は、雄型コネクタ３ａを有する。映像送受信側光ファイバ４の先端は、雌型コネクタ４ｂを有する。雄型コネクタ３ａと雌型コネクタ４ｂとは、中継コネクタを介さずに、光接続される。雌型コネクタ４ｂは、一定の位置としての壁に固定されている。
【００６０】
したがって、雌型コネクタ４ｂは、一定の位置に固定されているので、映像送受信側光ファイバ４に与えられた機械的衝撃は、画像表示側光ファイバ３に伝わることがなくて、画像表示側光ファイバ３の損傷を一層確実に防止できる。また、雄型コネクタ３ａを、雌型コネクタ４ｂから取り外すことが可能となり、画像表示側光ファイバ３の交換が容易となる。なお、画像表示側光ファイバ３の雄型コネクタ３ａを、直接に、映像送受信装置２の雌型コネクタへ接続することが可能となる。
【００６１】
図５Ｂに示すように、画像表示側光ファイバ３の先端は、雄型コネクタ３ａを有する。映像送受信側光ファイバ４の先端は、雌型コネクタ４ｂを有する。雄型コネクタ３ａと雌型コネクタ４ｂとは、中継コネクタを介さずに、光接続される。雄型コネクタ３ａは、一定の位置としての壁に固定されている。
【００６２】
したがって、雄型コネクタ３ａは、一定の位置に固定されているので、映像送受信側光ファイバ４に与えられた機械的衝撃は、画像表示側光ファイバ３のコネクタ３ａを除いた本体部に伝わることがなくて、画像表示側光ファイバ３の損傷を一層確実に防止できる。また、雌型コネクタ４ｂを、雄型コネクタ３ａから取り外すことが可能となり、映像送受信側光ファイバ４の交換が容易となる。
【００６３】
図５Ｃに示すように、画像表示側光ファイバ３の先端は、雌型コネクタ３ｂを有する。映像送受信側光ファイバ４の先端は、雄型コネクタ４ａを有する。雌型コネクタ３ｂと雄型コネクタ４ａとは、中継コネクタを介さずに、光接続される。雄型コネクタ４ａは、一定の位置としての壁に固定されている。
【００６４】
したがって、雄型コネクタ４ａは、一定の位置に固定されているので、映像送受信側光ファイバ４に与えられた機械的衝撃は、画像表示側光ファイバ３に伝わることがなくて、画像表示側光ファイバ３の損傷を一層確実に防止できる。また、雌型コネクタ３ｂを、雄型コネクタ４ａから取り外すことが可能となり、画像表示側光ファイバ３の交換が容易となる。
【００６５】
図５Ｄに示すように、画像表示側光ファイバ３の先端は、雌型コネクタ３ｂを有する。映像送受信側光ファイバ４の先端は、雄型コネクタ４ａを有する。雌型コネクタ３ｂと雄型コネクタ４ａとは、中継コネクタを介さずに、光接続される。雌型コネクタ３ｂは、一定の位置としての壁に固定されている。
【００６６】
したがって、雌型コネクタ３ｂは、一定の位置に固定されているので、映像送受信側光ファイバ４に与えられた機械的衝撃は、画像表示側光ファイバ３のコネクタ３ｂを除いた本体部に伝わることがなくて、画像表示側光ファイバ３の損傷を一層確実に防止できる。また、雄型コネクタ４ａを、雌型コネクタ３ｂから取り外すことが可能となり、映像送受信側光ファイバ４の交換が容易となる。なお、映像送受信側光ファイバ４の雄型コネクタ４ａを、直接に、画像表示装置１の雌型コネクタへ接続することが可能となる。
【００６７】
次に、図６Ａ、図６Ｂおよび図７に、画像表示側光ファイバ３と映像送受信側光ファイバ４との別の接続方法を示す。画像表示側光ファイバ３と映像送受信側光ファイバ４とは、中継ホルダ１４を介して、接続される。この中継ホルダ１４は、一定の位置としての壁に固定される。
【００６８】
図６Ａと図６Ｂに示すように、中継ホルダ１４は、貫通孔１５を有し、中継ホルダ１４の一部は、この貫通孔１５に沿って、段付筒部１６を有する。図６Ｂは、図６Ａの矢印Ｘ方向からみた矢視図である。
【００６９】
図７に示すように、中継ホルダ１４の貫通孔１５には、一方側から画像表示側光ファイバ３が挿入されると共に他方側から映像送受信側光ファイバ４が挿入される。
【００７０】
つまり、画像表示側光ファイバ３における全ての層（図２のコア層３１、クラッド層３２および樹脂層３３）が、貫通孔１５に挿入される。一方、映像送受信側光ファイバ４におけるコア層４１、クラッド層４２および樹脂層４３が、貫通孔１５に挿入される。映像送受信側光ファイバ４における抗張力繊維層４４およびシース層４５は、中継ホルダ１４の段付筒部１６の外側を覆うように配置される。
【００７１】
シース層４５の外側に締め付けリング１７が配置され、この締め付けリング１７は、例えば、カシメリングであり、内側から順に、画像表示側光ファイバ３、中継ホルダ１４の段付筒部１６、抗張力繊維層４４およびシース層４５を、一体に締め付ける。
【００７２】
したがって、中継ホルダ１４は、一定の位置に固定されているので、映像送受信側光ファイバ４に与えられた機械的衝撃は、画像表示側光ファイバ３に伝わることがなくて、画像表示側光ファイバ３の損傷を一層確実に防止できる。
【００７３】
また、締め付けリング１７は、内側から順に、画像表示側光ファイバ３、中継ホルダ１４、抗張力繊維層４４およびシース層４５を、一体に締め付けるので、画像表示側光ファイバ３と映像送受信側光ファイバ４とを簡単な構成で接続できる。
【００７４】
（第２の実施形態）
図８は、この発明の信号伝送機構の第２の実施形態を示している。なお、この第２の実施形態において、上記第１の実施形態と同一の部分には、同一の参照番号を付して、詳細な説明を省略する。
【００７５】
図８に示すように、この信号伝送機構は、画像表示装置１に設けられた画像表示側受発光部１８と、映像送受信装置２に接続された映像送受信側光ファイバ４と、この光ファイバ４に接続された中継装置１９とを有する。
【００７６】
この中継装置１９は、例えば、IrDAの赤外線を使用した送受信装置であり、中継側受発光部２０を有する。画像表示側受発光部１８と中継側受発光部２０とは、光空間伝送により、信号を伝送する。
【００７７】
したがって、画像表示装置１に画像表示側受発光部１８を設け、映像送受信装置２に光ファイバ４を接続するので、画像表示装置１側に光ファイバ４を設けないため画像表示装置１側の外観を損なわないようにできる一方、映像送受信装置２側の光ファイバ４を、外観よりも機械的強度を考慮して、機械的衝撃に強いものとできる。
【００７８】
要するに、画像表示装置１側の外観を損なわないことと、光ファイバ４の断線を防止して伝送不具合を発生させないこととを、同時に、満たすことができる。
【００７９】
なお、この発明は上述の実施形態に限定されない。例えば、光ファイバ３，４は、石英以外の構成の光ファイバであってもよい。また、画像表示側光ファイバ３と映像送受信側光ファイバ４とは、機械的または光学的のうちの少なくとも光学的に接続されていればよく、画像表示側光ファイバ３の先端に画像表示側受発光部を接続し、映像送受信側光ファイバ４の先端に映像送受信側受発光部を接続して、画像表示側受発光部と映像送受信側受発光部とを、光空間伝送により、信号を伝送するようにしてもよい。
【図面の簡単な説明】
【００８０】
【図１】本発明の信号伝送機構および電子機器の第１実施形態を示す簡略構成図である。
【図２】画像表示側光ファイバの横断面図である。
【図３】映像送受信側光ファイバの横断面図である。
【図４】光ファイバの接続を説明する説明図である。
【図５Ａ】光ファイバの接続を説明する説明図である。
【図５Ｂ】光ファイバの接続を説明する説明図である。
【図５Ｃ】光ファイバの接続を説明する説明図である。
【図５Ｄ】光ファイバの接続を説明する説明図である。
【図６Ａ】中継ホルダの正面図である。
【図６Ｂ】図６Ａの矢印Ｘ方向からみた矢視図である。
【図７】光ファイバの接続を説明する説明図である。
【図８】本発明の信号伝送機構および電子機器の第２実施形態を示す簡略構成図である。
【符号の説明】
【００８１】
１  画像表示装置
２  映像送受信装置
３  画像表示側光ファイバ
３ａ  雄型コネクタ
３ｂ  雌型コネクタ
３１  コア層
３２  クラッド層
３３  樹脂層
４  映像送受信側光ファイバ
４ａ  雄型コネクタ
４ｂ  雌型コネクタ
４１  コア層
４２  クラッド層
４３  樹脂層
４４  抗張力繊維層
４５  シ−ス層
１１  中継コネクタ
１４  中継ホルダ
１５  貫通孔
１６  段付筒部
１７  締め付けリング
１８  画像表示側受発光部
１９  中継装置
２０  中継側受発光部
【図１】
2010072163.tif 000003
【図２】
2010072163.tif 000004
【図３】
2010072163.tif 000005
【図４】
2010072163.tif 000006
【図５Ａ】
2010072163.tif 000007
【図５Ｂ】
2010072163.tif 000008
【図５Ｃ】
2010072163.tif 000009
【図５Ｄ】
2010072163.tif 000010
【図６Ａ】
2010072163.tif 000011
【図６Ｂ】
2010072163.tif 000012
【図７】
2010072163.tif 000013
【図８】
2010072163.tif 000014